(57)【要約】【課題】検査対象の被検者と異なる被検者の検査を誤って実施する可能性を低減する仕組みを提供すること。【解決手段】被検者が検査室に入室するときに、当該被検者を撮像装置により撮像することで得られる画像データと、管理手段で管理する画像データとを用いて、検査室に入室する被検者が設定された検査情報の検査対象となっている被検者であるかを特定し、特定結果を通知する。【選択図】図８
2020004203.tif 000002
【特許請求の範囲】
【請求項１】
所定の検査室で検査を行う各被検者の検査情報と、予め前記被検者を第１の撮像装置により撮像することで得られる画像データとを管理する管理手段と、
前記管理手段で管理する検査情報の中から、実施する検査情報を設定する設定手段と、
被検者が前記検査室に入室するときに、当該被検者を第２の撮像装置により撮像することで得られる画像データと、前記管理手段で管理する画像データとを用いて、前記検査室に入室する被検者が前記設定手段で設定された検査情報の検査対象となっている被検者であるかを特定する特定手段と、
前記特定手段による特定結果を通知する通知手段と
を備えることを特徴とする情報処理システム。
【請求項２】
前記通知手段は、前記検査室に入室する被検者が前記設定手段で設定された検査情報の検査対象となっている被検者でないと前記特定手段により特定されることを条件に、その旨をユーザが認識可能となるように通知することを特徴とする請求項１に記載の情報処理システム。
【請求項３】
前記設定手段により設定した検査情報を、当該検査情報に従って検査を実施する検査機器に送信する送信手段と、
前記検査室に入室する被検者が前記設定手段で設定された検査情報の検査対象となっている被検者でないと前記特定手段により特定されることを条件に、前記送信手段による前記検査情報の送信を行わないように制御する制御手段と
を備えることを特徴とする請求項１または２に記載の情報処理システム。
【請求項４】
前記通知手段は、前記送信手段により前記検査情報を送信するか否かの指示を受け付ける画面を通知し、
前記制御手段は、前記画面を介して、前記検査情報を送信する指示を受け付けると、前記送信手段による前記検査情報の送信を行わないように制御した前記検査情報を、前記送信手段により送信するように制御することを特徴とする請求項３に記載の情報処理システム。
【請求項５】
前記通知手段は、前記検査室に入室する被検者が前記設定手段で設定された検査情報の検査対象となっている被検者でないと前記特定手段により特定されることを条件に、前記設定手段で設定された検査情報の検査対象となっている被検者であるかを確認したかの入力を受け付ける受付部を有する前記画面を通知することを特徴とする請求項４に記載の情報処理システム。
【請求項６】
前記通知手段は、前記受付部を介した入力を受け付けるまで前記送信手段により前記検査情報を送信する指示を受け付けない前記画面を通知することを特徴とする請求項５に記載の情報処理システム。
【請求項７】
前記特定手段は、更に、前記検査室で検査を行う被検者が待機する場所を撮像する画像データから、前記設定手段で設定された検査情報の検査対象となっている被検者を特定することを特徴とする請求項１乃至６のいずれか１項に記載の情報処理システム。
【請求項８】
前記第１の撮像装置は、当該第１の撮像装置により撮像した画像データと、当該画像データに映る被検者を識別する識別情報とを紐づける端末の近傍に設けられた撮像装置であり、前記前記第２の撮像装置は、前記検査室の入り口の近傍に設けられた撮像装置であることを特徴とする請求項１乃至７のいずれか１項に記載の情報処理システム。
【請求項９】
前記設定手段は、ユーザにより指定された順に設定し、当該設定した検査情報に従って検査が実施されると次の検査情報を設定することを特徴とする請求項１乃至８のいずれか１項に記載の情報処理システム。
【請求項１０】
所定の検査室で検査を行う各被検者の検査情報と、予め前記被検者を第１の撮像装置により撮像することで得られる画像データとを管理する管理手段を備える情報処理システムの制御方法であって、
前記管理手段で管理する検査情報の中から、実施する検査情報を設定する設定工程と、
被検者が前記検査室に入室するときに、当該被検者を第２の撮像装置により撮像することで得られる画像データと、前記管理手段で管理する画像データとを用いて、前記検査室に入室する被検者が前記設定工程で設定された検査情報の検査対象となっている被検者であるかを特定する特定工程と、
前記特定工程による特定結果を通知する通知工程と
を備えることを特徴とする情報処理システムの制御方法。
【請求項１１】
所定の検査室で検査を行う各被検者の検査情報と、予め前記被検者を第１の撮像装置により撮像することで得られる画像データとを管理する管理手段を備える情報処理システムで読み取り実行なプログラムであって、
前記情報処理システムを、
前記管理手段で管理する検査情報の中から、実施する検査情報を設定する設定手段と、
被検者が前記検査室に入室するときに、当該被検者を第２の撮像装置により撮像することで得られる画像データと、前記管理手段で管理する画像データとを用いて、前記検査室に入室する被検者が前記設定手段で設定された検査情報の検査対象となっている被検者であるかを特定する特定手段と、
前記特定手段による特定結果を通知する通知手段として機能させることを特徴とするプログラム。
【発明の詳細な説明】
【技術分野】
【０００１】
本発明は、情報処理システム、情報処理システムの制御方法、およびプログラムに関し、特に、検査対象の被検者と異なる被検者の検査を誤って実施する可能性を低減する仕組みに関する。
【背景技術】
【０００２】
病院では、放射線検査、血液検査、心電図検査等、毎日様々な検査が行われているが、検査において患者の取り違えは非常に重大なインシデントである。
【０００３】
そのため、病院では検査室（撮影室）への入室時に必ず患者の氏名を呼んで本人確認を行うといった対策が講じられてはいるが、耳が聞こえにくい患者が名前を聞き間違えて入室したり、同姓の患者が誤って入室したりする等により、依然として患者の取り違えが発生する恐れがあった。
【０００４】
このような課題に対して、特許文献１には、検査実施時に取得した患者個人を識別するための個人認証データが、あらかじめ検査実施前（病院の受付や医師の診察時）に取得した個人認証データの中に存在するかを判定し、存在しない場合に警告する技術が開示されている。
【先行技術文献】
【特許文献】
【０００５】
【特許文献１】特開２００３−３０３２４号公報
【発明の概要】
【発明が解決しようとする課題】
【０００６】
しかしながら、特許文献１に記載の技術を用いた場合、検査実施前に取得した個人認証データの中に、検査実施時に取得した個人認証データが含まれていれば警告しないため、例えば、同じ検査室で同じ検査を受ける複数の患者が、検査の順番を間違ったことによる患者の取り違えについては依然として防ぐことができない可能性があった。
【０００７】
本発明は、検査対象の被検者と異なる被検者の検査を誤って実施する可能性を低減する仕組みを提供することを目的とする。
【課題を解決するための手段】
【０００８】
本発明は、所定の検査室で検査を行う各被検者の検査情報と、予め前記被検者を第１の撮像装置により撮像することで得られる画像データとを管理する管理手段と、前記管理手段で管理する検査情報の中から、実施する検査情報を設定する設定手段と、被検者が前記検査室に入室するときに、当該被検者を第２の撮像装置により撮像することで得られる画像データと、前記管理手段で管理する画像データとを用いて、前記検査室に入室する被検者が前記設定手段で設定された検査情報の検査対象となっている被検者であるかを特定する特定手段と、前記特定手段による特定結果を通知する通知手段とを備えることを特徴とする。
【０００９】
また、本発明は、所定の検査室で検査を行う各被検者の検査情報と、予め前記被検者を第１の撮像装置により撮像することで得られる画像データとを管理する管理手段を備える情報処理システムの制御方法であって、前記管理手段で管理する検査情報の中から、実施する検査情報を設定する設定工程と、被検者が前記検査室に入室するときに、当該被検者を第２の撮像装置により撮像することで得られる画像データと、前記管理手段で管理する画像データとを用いて、前記検査室に入室する被検者が前記設定工程で設定された検査情報の検査対象となっている被検者であるかを特定する特定工程と、前記特定工程による特定結果を通知する通知工程とを備えることを特徴とする。
【００１０】
また、本発明は、所定の検査室で検査を行う各被検者の検査情報と、予め前記被検者を第１の撮像装置により撮像することで得られる画像データとを管理する管理手段を備える情報処理システムで読み取り実行なプログラムであって、前記情報処理システムを、前記管理手段で管理する検査情報の中から、実施する検査情報を設定する設定手段と、被検者が前記検査室に入室するときに、当該被検者を第２の撮像装置により撮像することで得られる画像データと、前記管理手段で管理する画像データとを用いて、前記検査室に入室する被検者が前記設定手段で設定された検査情報の検査対象となっている被検者であるかを特定する特定手段と、前記特定手段による特定結果を通知する通知手段として機能させることを特徴とする。
【発明の効果】
【００１１】
本発明によると、検査対象の被検者と異なる被検者の検査を誤って実施する可能性を低減することができる。
【図面の簡単な説明】
【００１２】
【図１】本実施形態における患者照合システムのシステム構成を示す図。
【図２】本発明の実施形態における受付装置１０１、サーバ１０３、操作室装置１０５に適用可能な情報処理装置のハードウェア構成の一例を示す図。
【図３】本発明の実施形態におけるネットワークカメラ１０２、１０４のハードウェアの構成の一例を示す図。
【図４】本発明の実施形態において、受付装置１０１のディスプレイ２１０に表示される受付画面の一例を示す図。
【図５】本発明の実施形態において、受付装置１０１のディスプレイ２１０に表示される撮像画面の一例を示す図。
【図６】本発明の実施形態において、操作室装置１０５のディスプレイ２１０に表示される患者照合画面の一例を示す図。
【図７】本発明の実施形態において、操作室装置１０５のディスプレイ２１０に表示される患者照合画面の一例を示す図。
【図８】本発明の実施形態において、操作室装置１０５のディスプレイ２１０に表示される患者照合画面の一例を示す図。
【図９】本発明の実施形態において、操作室装置１０５のディスプレイ２１０に表示される患者照合画面の一例を示す図。
【図１０】本発明の実施形態において、操作室装置１０５のディスプレイ２１０に表示される患者照合画面の一例を示す図。
【図１１】本発明の他の実施形態において、操作室装置１０５のディスプレイ２１０に表示される患者照合画面の一例を示す図。
【図１２】本発明の実施形態におけるオーダ情報データテーブルの一例を示す図。
【図１３】本発明の実施形態における、患者照合処理の一例を示す図。
【図１４】本発明の他の実施形態において、情報処理装置のディスプレイ２１０に表示される患者照合画面の一例を示す図。
【図１５】本発明の他の実施形態における、患者照合処理の一例を示す図。
【発明を実施するための形態】
【００１３】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１４】
まず、図１を参照して、本実施形態における患者照合システム（情報処理システム）の概略構成について説明する。
【００１５】
図１は、本実施形態における患者照合システムのシステム構成を示す図である。
【００１６】
図１に示すように、本実施形態の患者照合システムでは、受付装置１０１、ネットワークカメラ１０２、サーバ１０３、ネットワークカメラ１０４、操作室装置１０５、検査機器１０６が、無線通信又は移動通信網等のネットワークを介して、相互にデータ通信可能に接続されている。
【００１７】
受付装置１０１には、ＲＩＳ（Ｒａｄｉｏｌｏｇｙ  Ｉｎｆｏｒｍａｔｉｏｎ  Ｓｙｓｔｅｍ）が組み込まれており、受付装置１０１は、患者情報、検査情報、撮影プロトコルを含む放射線検査オーダ（以下、単にオーダとも呼ぶ）の管理、検査機器１０６への連携等を行う。受付装置１０１は、例えば、検査室前の受付に設けられる。オーダは、ＨＩＳ（Ｈｏｓｐｉｔａｌ  Ｉｎｆｏｒｍａｔｉｏｎ  Ｓｙｓｔｅｍｓ）から取得する。また、受付装置１０１は、取得したオーダを操作室装置１０５に送信する。なお、他の実施形態として、受付装置１０１にＲＩＳを組み込むことなく、他の装置に組み込まれたＲＩＳと受付装置１０１が通信することで、ＲＩＳの情報を受付装置１０１に表示するとしても良い。また、受付装置１０１に、ＲＩＳだけでなく、ＨＩＳも組み込まれても良い。
【００１８】
ネットワークカメラ１０２は、受付装置１０１の近傍に設けられ、受付に来た患者（被検者とも呼ぶ）を撮像する。
【００１９】
受付装置１０１は、ネットワークカメラ１０２で患者を撮像した画像データ（例えば、顔画像データ）を、患者を識別する識別情報（例えば、患者ＩＤ）と紐づけて管理する。なお、ネットワークカメラ１０２で撮像した画像データと、識別情報は、サーバ１０３にも送信され、サーバ１０３でも管理される。
【００２０】
ネットワークカメラ１０４は、撮影室（検査室とも呼ぶ）の入り口近傍に設けられ、撮影室に入室する患者を撮像し、撮像した画像データを受付装置１０１に送信する。受付装置１０１は、ネットワークカメラ１０４で撮像した画像データを取得する。なお、他の実施形態として、サーバ１０３に一旦画像データを送信し、サーバ１０３から受付装置１０１に送信しても良い。
【００２１】
受付装置１０１は、既知の画像解析技術を用いて、ネットワークカメラ１０２で撮像した画像データと、ネットワークカメラ１０４で撮像した画像データとを照合し、ネットワークカメラ１０４で撮像した画像データに映る患者を特定する。そして特定した患者の識別情報を含む照合結果を操作室装置１０５に送信する。なお、他の実施形態として、サーバ１０３に照合結果を送信・登録し、サーバ１０３から操作室装置１０５に照合結果を送信しても良い。
【００２２】
操作室装置１０５は、受付装置１０１から送信されるオーダや、照合結果等の情報、各ネットワークカメラで撮像した画像データを取得し、取得した情報（例えば、後述する図６〜１０の画面）を操作室装置１０５のディスプレイ２１０、または撮影室に別途設けられたディスプレイに表示する。なお、オーダは、受付装置１０１ではなくＨＩＳから取得しても良い。
【００２３】
また、操作室装置１０５は、検査機器１０６へオーダ（撮影プロトコル）の送信制御を行う。
【００２４】
検査機器１０６は、Ｘ線撮影装置等の検査機器であり、操作室装置１０５から送信されるオーダに従って撮影室に入室した患者の撮影を行う。
【００２５】
なお、本実施形態では、ネットワークカメラ１０４で撮像した画像データに映る患者の特定を受付装置１０１で行うとしたが、他の実施形態として、ネットワークカメラ１０２、サーバ１０３、ネットワークカメラ１０４、操作室装置１０５のいずれかで行っても良く、また別途患者の特定を行う端末を設けても良い。その場合、ネットワークカメラ１０２で撮像した画像データ、ネットワークカメラ１０４で撮像した画像データ、および患者情報は、患者の特定を行う装置に送信される。
【００２６】
また、本実施形態では、受付装置１０１と、サーバ１０３、ネットワークカメラ１０２、操作室装置１０５を別々の装置としたが、これらの装置の一部、または全部が一体でもよい。
【００２７】
以上で図１の説明を終了し、次に図２について説明する。
【００２８】
図２は、本発明の実施形態における、図１に示した受付装置１０１、サーバ１０３、操作室装置１０５に適用可能な情報処理装置のハードウェア構成の一例を示す図である。
【００２９】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、ＰＣの実行する機能を実現するために必要な後述する各種プログラム等が記憶されている。
【００３０】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、ロードしたプログラムを実行することで各種動作を実現するものである。
【００３１】
また、２０５は入力コントローラで、キーボード（ＫＢ）２０９等のポインティングデバイス等からの入力を制御する。２０６はビデオコントローラで、ディスプレイ２１０（液晶、ブラウン管を問わない）等の表示器への表示を制御する。
【００３２】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３３】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００３４】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３５】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる設定ファイル等も外部メモリ２１１に格納されており、これらについての詳細な説明も後述する。
【００３６】
以上で、図２の説明を終了し、次に図３について説明する。
【００３７】
図３は、本発明の実施形態における、ネットワークカメラ１０２、ネットワークカメラ１０４のハードウェアの構成の一例を示す図である。
【００３８】
ＣＰＵ３０１は、システムバス３０４に接続される各デバイスやコントローラを統括的に制御する。また、ＲＯＭ３０２あるいは外部メモリ３０５には、ＣＰＵ３０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、画像処理サーバ１０８の実行する機能を実現するために必要な後述する各種プログラム等が記憶されている。ＲＡＭ３０３は、ＣＰＵ３０１の主メモリ、ワークエリア等として機能する。
【００３９】
ＣＰＵ３０１は、処理の実行に際して必要なプログラム等をＲＡＭ３０３にロードして、プログラムを実行することで各種動作を実現するものである。
【００４０】
メモリコントローラ（ＭＣ）３０６は、ブートプログラム、各種のアプリケーション、フォントデータ、ユーザファイル、編集ファイル、各種データ、画像データ等を記憶するハードディスク（ＨＤ）やＰＣＭＣＩＡカードスロットにアダプタを介して接続されるＣＦメモリやスマートメディア（登録商標）等の外部メモリ３０５へのアクセスを制御する。
【００４１】
カメラ部３０７は、画像処理部３０８と接続されており、監視対象に対して向けられたレンズを透過して得られた光をＣＣＤやＣＭＯＳ等の受光セルによって光電変換を行った後、ＲＧＢ信号や補色信号を画像処理部３０８に対して出力する。
【００４２】
画像処理部３０８は、ＲＧＢ信号や捕色信号に基づいて、ホワイトバランス調整、ガンマ処理、シャープネス処理を行い、更に、ＹＣ信号処理を施して輝度信号Ｙとクロマ信号（以下、ＹＣ信号）を生成し、ＹＣ信号を所定の圧縮形式（例えばＪＰＥＧフォーマット、あるいはＭｏｔｉｏｎＪＰＥＧフォーマット等）で圧縮し、この圧縮されたデータは、画像データとして外部メモリ３０５へ一時保管される。
【００４３】
通信Ｉ／Ｆコントローラ（通信Ｉ／ＦＣ）３０９は、ネットワークを介して、外部機器と接続・通信するものであり、ネットワークでの通信制御処理を実行しており、外部メモリ３０５に記憶された画像データは、通信Ｉ／Ｆコントローラ３０９によって外部機器へ送信される。以上で、図３の説明を終了する。
【００４４】
次に、図４〜図１０を用いて、本発明の実施形態において、受付装置１０１、操作室装置１０５に表示される画面について説明する。
【００４５】
まず、図４、図５について説明する。図４は、本発明の実施形態において、受付装置１０１のディスプレイ２１０に表示される受付画面の一例を示す図であり、図５は、図４の受付画面を介して呼び出され、受付装置１０１のディスプレイ２１０に表示される撮像画面の一例を示す図である。
【００４６】
図４の４０１は検査オーダ一覧であり、ＨＩＳから取得したオーダが一覧で表示される。図４の４０２は患者情報表示部であり、検査オーダ一覧４０１の中でユーザが選択したオーダの患者の情報が表示される。４０３は、検査情報表示部であり、検査オーダ一覧４０１の中でユーザが選択したオーダに含まれる検査情報が表示される。
【００４７】
図４の受付画面を介して、ユーザから撮像画面の表示指示を受け付けると、受付装置１０１は、図５の撮像画面を表示する。撮像画面の表示指示は、検査オーダ一覧４０１の中で、これから撮像を行う患者のオーダをユーザがマウス等によりダブルクリックすることにより受け付けても良いし、「撮像画面表示ボタン」を受付画面に表示して、検査オーダ一覧４０１の中で、これから撮像を行う患者のオーダの選択をユーザから受け付けた後に、「撮像画面表示ボタン」（不図示）がユーザにより押下されることで受け付けても良い。
【００４８】
図５の５０１は、患者ＩＤ表示部であり、撮像画面表示指示を受け付けた時に選択されていた患者の患者ＩＤが自動で入力される。なお、患者ＩＤは、ユーザが手動で入力しても、患者の診察券や問診票等に記載の１次元コードや２次元コードをリーダーで読み取ることによって入力しても良い。
【００４９】
５０２は撮像画像表示部であり、受付装置１０１の近傍に設けられたネットワークカメラ１０２で受付に来た患者を撮像した画像データを取得して表示する。画像データを取得するタイミングは、図５の撮像画面を表示するタイミングでも良いし、撮像画面上に取得ボタンを設け、当該ボタンがユーザにより押下されたタイミングでもよい。
【００５０】
そして、ＹＥＳボタン５０３がユーザにより押下されると、受付装置１０１は、患者ＩＤ表示部５０１に表示されている患者ＩＤと、撮像画像表示部５０２に表示されている画像データとを紐づけて管理する。また、その際、５０５に示すようなメッセージが表示される。
【００５１】
また、ＮＯボタン５０４がユーザにより押下されると、ネットワークカメラ１０２に再度画像データの取得要求を行う。ＮＯボタン５０４が押下される場合とは、例えば、撮像時に患者がネットワークカメラ１０２の方向を向いていないなど、その後の照合処理において精度が低下するような画像データを取得した場合である。
【００５２】
受付装置１０１は、撮像画像表示部５０２に表示され患者ＩＤと紐づけた画像データと、ネットワークカメラ１０４で撮像した画像データとを既知の画像解析技術を用いて照合することにより、ネットワークカメラ１０４で撮像した画像データに映る患者を特定し、特定した患者の識別情報を含む照合結果を操作室装置１０５に送信する。なお、他の実施形態として、サーバ１０３に照合結果を送信し、サーバ１０３から操作室装置１０５に照合結果を送信しても良い。
【００５３】
そして、操作室装置１０５は、操作室装置１０５のディスプレイ２１０に照合結果を表示する。では、ここから操作室装置１０５のディスプレイ２１０に表示される画面（図６〜図１０）について説明する。
【００５４】
図６〜図１０は、本発明の実施形態において、操作室装置１０５のディスプレイ２１０に表示される患者照合画面の一例を示す図である。
【００５５】
図６の６０１は、ネットワークカメラ１０２で受付に来た患者を撮像した画像データであって、受付装置１０１を介して患者ＩＤと紐づけた画像データが表示される。画像データは、スタッフ（特に放射線技師）が指定したオーダに紐づく患者順で表示され、１つの検査が終了すると次に指定された患者の画像データが表示される。
【００５６】
図６の６０２は、ネットワークカメラ１０４で撮像した画像データが表示され、１つの検査が終了すると、以降に撮影室に入室した患者の画像データが表示される。
【００５７】
受付時の画像データ（６０１）と、撮影室入室時の画像データ（６０２）とを並列して表示することによりユーザが目視で各画像データに映る人物が同一であるかを確認することができ、万が一受付装置１０１が特定した患者が間違っていた場合に、目視で同一人物であることが確認できれば検査を開始することが可能となる。
【００５８】
ＲＩＳ情報６０３には、受付装置１０１から送信されたオーダの情報が、スタッフが指定した順番に設定され、表示される。オーダは、１つの検査が終了すると、その次に指定されたオーダが設定される。
【００５９】
図６の６０６はステータス表示部であり、撮影室への患者の入室がないときには「待機中」というステータスが表示される。
【００６０】
そして、撮影室に入室した患者の照合を行った結果、これから検査を行う患者であれば、図７の７０１に示すように、検査対象の患者であることをユーザ（検査を行うスタッフ）が認識可能となるような通知を行う。一方で、これから検査を行う患者でなければ、図８の８０１に示すように、検査対象の患者でないことをユーザが認識可能となるような通知を行う。ユーザは、図７の７０１の通知や図８の８０１の通知を確認することで、これから検査を行う患者として合っているかを確かめ、合っていれば検査開始ボタン６０４を押下し、合っていなければ、検査中止ボタンを押下する。そして、検査開始ボタン６０４がユーザにより押下されると、オーダ（撮影プロトコル等）の情報が検査機器１０６に送信される。
【００６１】
従来は、上述した入室した患者が合っているかの照合は行われることなく、受付装置１０１から直接検査機器１０６にオーダの情報が送信されていたため、ユーザの口頭による患者の名前確認の際に取り違えが発生した場合には、誤った患者の検査を行ってしまう恐れがあった。
【００６２】
しかし、本発明では、撮影室に入室した患者がこれから検査を行う患者であるかを判定し、判定の結果、これから検査を行う患者であると判定された場合にはオーダが検査機器１０６に送信され、そうでない場合には通知を行うことで、ユーザにこれから検査を行う患者であるかを確認するように促すため、従来のように誤った患者の検査が開始される可能性を低減することが可能となる。
【００６３】
次に、図９を用いて、撮影室に入室した患者がこれから検査を行う患者でない場合の通知の他の実施形態について説明する。
【００６４】
図９の９０１の通知では、図８の８０１の通知と異なり、検査対象の患者でないことをユーザ（検査を行うスタッフ）が認識可能となるような通知に加えて、確認ＯＫボタン（受付部）９０２を備えている。また、確認ＯＫボタン９０２がユーザにより押下されないと、検査開始ボタン９０３が押下できないように制御されている。これにより、ユーザが９０１の通知を見落として検査開始ボタン９０３を押下することを防止し、誤った患者の検査が開始される可能性をさらに低減することが可能となる。
【００６５】
次に、図１０について説明する。図１０は、撮影室に入室した患者がこれから検査を行う患者でない場合に、これから検査を行う患者がどこにいるかをユーザに通知する画面であり、図８、図９に示した画面から呼び出すことができる画面である。
【００６６】
図１０には、待合室を撮像するネットワークカメラにより撮像することで得られる画像データと、ネットワークカメラ１０２で撮像した画像データとを照合することで、待合室にいる患者の中から、これから検査を行う患者を特定し、１００１に示すように当該患者をユーザが認識可能となるように通知する。そうすることで、検査を行う患者をすぐに発見することが可能となる。なお、他の実施形態として、図６の画面に待合室確認ボタンを設け、当該ボタンがユーザにより押下されることで、図１１に示す画面を表示しても良い。
【００６７】
図１１は、本発明の他の実施形態において、操作室装置１０５のディスプレイ２１０に表示される患者照合画面の一例を示す図である。
【００６８】
図１１では、待合室を撮像するネットワークカメラにより撮像することで得られる画像データと、ネットワークカメラ１０２で撮像した画像データとを照合することで、待合室にいる各患者を特定し、待合室の画像データ上にそれぞれの患者の情報（図１１の１１０１〜１１０３）を表示する。そうすることで、ユーザはどの患者を次に撮影室に呼べば良いかを確認することが可能となる。
【００６９】
次に図１２を用いて、本発明の実施形態におけるオーダ情報データテーブルの一例について説明する。オーダ情報データテーブルは、受付装置１０１、サーバ１０３、操作室装置１０５の外部メモリ２１１で記憶・管理される。
【００７０】
オーダ情報データテーブルは、本発明における、所定の検査室で検査を行う各被検者の検査情報と、予め前記被検者を第１の撮像装置により撮像することで得られる画像データとを管理する管理手段の一例である。
【００７１】
オーダ情報データテーブルは、患者を識別するための患者ＩＤ１２０１、患者氏名１２０２、患者の性別１２０３、患者の生年月日１２０４、検査の依頼元の科を示す依頼科１２０５、検査の種別を示す検査種別１２０６、検査部位１２０７等を含んでいる。また、受付装置１０１で患者を撮像後は、当該患者を撮像した画像データも紐づけて管理される。
【００７２】
以上で、図１２の説明を終了し、次に、図１３を用いて、本発明で実行される処理について説明する。
【００７３】
図１３は、本発明の実施形態における、患者照合処理の一例を示す図である。図１３に示す各処理は、受付装置１０１、または操作室装置１０５のＣＰＵ２０１が実行する。
【００７４】
ステップＳ１３０１において、受付装置１０１は、ＨＩＳからオーダを取得し、受付装置１０１のディスプレイ２１０に表示する（たとえば、図４に示す受付画面）。
【００７５】
ステップＳ１３０２において、受付装置１０１は、検査オーダ一覧４０１の中からこれから撮像を行う患者のオーダの選択をユーザから受け付けることで、撮像画面（例えば、図５に示す撮像画面）を表示する。
【００７６】
ステップＳ１３０３において、受付装置１０１は、ユーザ操作に従ってネットワークカメラ１０２から受付に来た患者を撮像した画像データを取得する。
【００７７】
ステップＳ１３０４において、受付装置１０１は、患者ＩＤ表示部５０１への患者ＩＤの入力を受け付ける。患者ＩＤは、撮像画面表示指示を受け付けた時に選択されていた患者の患者ＩＤが自動で入力される。なお、患者ＩＤは、ユーザが手動で入力しても、患者の診察券や問診票等に記載の１次元コードや２次元コードをリーダーで読み取ることによって入力しても良い。そして、受付装置１０１は、患者ＩＤ表示部５０１に表示されている患者ＩＤと、撮像画像表示部５０２に表示されている画像データとを紐づけて管理する。
【００７８】
その後、ステップＳ１３０５において、受付装置１０１は、ネットワークカメラ１０４で撮像した画像データを取得する。
【００７９】
ステップＳ１３０６において、受付装置１０１は、既知の画像解析技術を用いて、ステップＳ１３０３で取得した画像データと、ステップＳ１３０５で取得した画像データとを照合し、ステップＳ１３０５で取得した画像データに映る患者を特定する。そして、ステップＳ１３０７において、受付装置１０１は、ステップＳ１３０６で特定した患者の識別情報（患者ＩＤ）を含む照合結果を操作室装置１０５に送信する。なお、他の実施形態として、サーバ１０３に照合結果を送信・登録し、サーバ１０３から操作室装置１０５に照合結果を送信しても良い。
【００８０】
ステップＳ１３０８において、操作室装置１０５は、オーダを取得する。オーダは受付装置１０１から取得しても良いし、ＨＩＳ、または受付装置１０１と異なる装置に組み込まれたＲＩＳから直接取得しても良い。操作室装置１０５は、オーダを取得すると、取得したオーダをスタッフ（特に放射線技師）が指定した順に、検査機器１０６で検査を実施する対象として設定し、図６に示す患者照合画面を操作室装置１０５のディスプレイ２１０に表示する。設定したオーダはＲＩＳ情報６０３に表示される。ステップＳ１３０８は、本発明における、前記管理手段で管理する検査情報の中から、実施する検査情報を設定する設定手段の一例である。
【００８１】
なお、他の実施形態として、オーダをスタッフが指定することなく、操作室装置１０５や、オーダの送信元の装置が、各検査機器１０６の空き情報や、検査待ちの患者の人数、各撮影室で撮影する検査部位に応じて設定するオーダを決定し、設定しても良い。
【００８２】
ステップＳ１３０９において、操作室装置１０５は、ステップＳ１３０７において受付装置１０１から送信された照合結果を取得する。
【００８３】
ステップＳ１３１０において、操作室装置１０５は、ステップＳ１３０９で取得した照合結果と、ステップＳ１３０８で設定したオーダを用いて、撮影室に入室した患者がこれから検査を行う患者であるかを判定する。
【００８４】
より具体的には、操作室装置１０５は、ステップＳ１３０９で取得した患者の識別情報（患者ＩＤ）と、ステップＳ１３０８で設定したオーダに含まれる患者の識別情報（患者ＩＤ）とが一致するかを判定する。
【００８５】
ステップＳ１３１０と、後述するステップＳ１５０８は、本発明における、被検者が前記検査室に入室するときに、当該被検者を第２の撮像装置により撮像することで得られる画像データと、前記管理手段で管理する画像データとを用いて、前記検査室に入室する被検者が前記設定手段で設定された検査情報の検査対象となっている被検者であるかを特定する特定手段の一例である。
【００８６】
操作室装置１０５は、撮影室に入室した患者がこれから検査を行う患者である場合には、ステップＳ１３１１に処理を移行し、撮影室に入室した患者がこれから検査を行う患者でなければ、ステップＳ１３１２に処理を移行する。
【００８７】
ステップＳ１３１１において、操作室装置１０５は、図７（特に７０１）に示す通知を、当該操作室装置１０５のディスプレイ２１０に表示する。そして、検査開始ボタン６０４の押下をユーザから受け付けることなくステップＳ１３１４の処理を実行する。なお、他の実施形態として、撮影室に入室した患者がこれから検査を行う患者である場合に、検査開始ボタン６０４がユーザにより押下されることでステップＳ１３１４の処理を実行しても良いが、検査開始ボタン６０４の押下をユーザから受け付けることなくステップＳ１３１４の処理を実行することで、ユーザが検査開始ボタン６０４を押す手間を削減することが可能となる。
【００８８】
ステップＳ１３１２において、操作室装置１０５は、図８（特に８０１）、または図９に示す通知を、当該操作室装置１０５のディスプレイ２１０に表示する。なお、他の実施形態として、ステップＳ１３１１や、ステップＳ１３１２における通知を、撮影室に別途設けられたディスプレイに表示しても良い。
【００８９】
ステップＳ１３１１、ステップＳ１３１２、後述するステップＳ１５０９、ステップＳ１５１０は、本発明における、前記特定手段による特定結果を通知する通知手段の一例である。
【００９０】
ステップＳ１３１３において、操作室装置１０５は、ユーザから検査続行指示がされたかを判定する。検査続行指示がされたならばステップＳ１３１４に処理を移行し、そうでなければステップＳ１３０９に処理を戻す。
【００９１】
検査続行指示は、検査開始ボタン６０４がユーザにより押下されることでなされ、検査を続行しない指示は、検査中止ボタン６０５がユーザにより押下されることでなされる。
【００９２】
ステップＳ１３１３において検査開始ボタン６０４がユーザにより押下される場合とは、受付時の画像データ（図６の６０１）と、撮影室入室時の画像データ（図６の６０２）とをユーザが目視で確認した結果、同一人物であることが明らかである場合に押下される。
【００９３】
ステップＳ１３１４において、操作室装置１０５は、ステップＳ１３０８で設定したオーダを検査機器１０６に送信する。
【００９４】
このように、本発明では、撮影室に入室した患者がこれから検査を行う患者であるかを判定し、判定の結果、これから検査を行う患者であると判定された場合にはオーダが検査機器１０６に送信され、そうでない場合には通知を行うことで、ユーザにこれから検査を行う患者であるかを確認するように促すため、従来のように誤った患者の検査が開始される可能性を低減することが可能となる。
【００９５】
なお、本実施形態では、ステップＳ１３１０において、撮影室に入室した患者がこれから検査を行う患者でなければ、ステップＳ１３１２に処理を移行するとしたが、他の実施形態として、看護師等の病院のスタッフであれば、ステップＳ１３１２における通知を行うことなく、ステップＳ１３０９に処理を戻しても良い。
【００９６】
その場合、病院のスタッフを撮像した画像データと、当該画像データに映る病院のスタッフを識別する情報（ＩＤ等）を、予め受付装置１０１で管理し、ステップＳ１３０６の処理において、当該画像データと、ステップＳ１３０５で取得した画像データとを受付装置１０１が照合する。
【００９７】
そして、照合の結果、病院のスタッフと特定された場合には、病院のスタッフであることを特定可能な情報を受付装置１０１から操作室装置１０５に送信し、その情報を取得した操作室装置１０５は、ステップＳ１３１２における通知を行うことなく、ステップＳ１３０９に処理を戻す。
【００９８】
以上で、図１３の説明を終了し、次に図１４を用いて、本発明の他の実施形態について説明する。これまでの実施形態は、検査室に入室する患者が正しいか否かを判定する形態であるが、図１４では、情報処理装置（ＰＣやサーバ）が、手術室に入室する患者が正しいかを判定してその結果を通知する画面である。
【００９９】
図１４の画面を表示する実施形態では、入院時に患者の画像データと患者ＩＤを紐づけて登録し、更に手術室前にネットワークカメラを設けて手術室に入る患者を撮像する。そして、情報処理装置（ＰＣやサーバ）が管理する各手術室の各時間帯で手術を行う患者の情報を元に、手術室に入ろうとしている患者がその時間帯にその手術室で手術を行う患者として合っているかを情報処理装置が判定し、判定結果を、情報処理装置のディスプレイや、その他の装置のディスプレイに図１４に示す画面で表示する。
【０１００】
図１４では、入院時に撮像された患者の画像データ（１４０１）と、手術室入室時に撮像された患者の画像データ（１４０２）とを並べて表示し、手術室に入ろうとしている患者がその時間帯にその手術室で手術を行う患者でない場合には、１４０３に示す通知を行う。
【０１０１】
また、同時間帯に別の手術室で手術予定の患者リストを表示するボタン１４０４と、同日に同室で手術予定の患者リストを表示するボタン１４０５を設けることで、どの患者と間違っているのかの確認を容易にすることができる。また、ＨＩＳから取得した、これから同手術室で手術する対象の患者情報１４０６を表示することで、病院のスタッフは正しい患者の情報を確認して、取り違いにより気づきやすくなる。
【０１０２】
図１４の画面を表示することにより、手術における患者の取り違いを防止することが可能となる。以上で、図１４の説明を終了する。
【０１０３】
次に図１５を用いて、図１３に示した患者照合処理の他の実施形態について説明する。
【０１０４】
図１５は、本発明の他の実施形態における、患者照合処理の一例を示す図である。
【０１０５】
図１３の処理では、ステップＳ１３１０において、検査対象の患者かの判定に患者の識別情報を用いたが、本実施形態では、ネットワークカメラ１０２で取得した画像データと、ネットワークカメラ１０４で取得した画像データとを照合することで検査対象の患者かの判定を行う。すなわち、ステップＳ１３０７の処理のように患者の識別情報（患者ＩＤ）の出力は行わない。
【０１０６】
図１５に示す各処理は、サーバ１０３のＣＰＵ２０１が実行する。なお、本処理の一部、または全部は受付装置１０１や、操作室装置１０５のＣＰＵ２０１が実行しても良い。
【０１０７】
ステップＳ１５０１〜ステップＳ１５０４までの各処理は、図１３のステップＳ１３０１〜ステップＳ１３０４までの各処理と同様の処理であるため説明を省略する。
【０１０８】
ステップＳ１５０５において、サーバ１０３は、ステップＳ１５０２でユーザから選択を受け付けたオーダと、ステップＳ１５０３においてネットワークカメラ１０２から取得した画像データとの紐づけを行う。
【０１０９】
ステップＳ１５０６の処理は、図１３のステップＳ１３０５の処理と同様の処理であるため説明を省略する。
【０１１０】
ステップＳ１５０７において、サーバ１０３は、既知の画像解析技術を用いて、ステップＳ１５０３で取得した画像データと、ステップＳ１５０６で取得した画像データとを照合し、それぞれの画像データに映る患者が一致するかの照合を行う。
【０１１１】
なお、サーバ１０３は、ステップＳ１５０１で取得したオーダの取得順に、検査機器１０６で検査を実施する対象として設定し、ステップＳ１５０７の処理では、ステップＳ１５０３で取得した画像データのうち、ステップＳ１５０７の処理を実行時に検査を実施する対象として設定されているオーダに紐づく画像データを用いる。
【０１１２】
ステップＳ１５０８において、サーバ１０３は、ステップＳ１５０７の処理の結果、ステップＳ１５０３で取得した画像データと、ステップＳ１５０６で取得した画像データの両方の画像データに映る患者が一致したかを判定し、一致したならばステップＳ１５０９に処理を移行し、一致しなければ、ステップＳ１５１０に処理を移行する。
【０１１３】
ステップＳ１５０９〜ステップＳ１５１２までの各処理は、図１３のステップＳ１３１１〜ステップＳ１３１４までの各処理と同様の処理であるため説明を省略する。
【０１１４】
なお、本実施形態では、ステップＳ１５０８において、撮影室に入室した患者がこれから検査を行う患者でなければ、ステップＳ１５０９に処理を移行するとしたが、他の実施形態として、看護師等の病院のスタッフであれば、ステップＳ１５１０における通知を行うことなく、ステップＳ１５０６に処理を戻しても良い。
【０１１５】
その場合、病院のスタッフを撮像した画像データを、予めサーバ１０３で管理し、ステップＳ１５０７の処理において、当該画像データと、ステップＳ１５０６で取得した画像データとをサーバ１０３が照合する。
【０１１６】
そして、照合の結果、病院のスタッフと特定された場合には、サーバ１０３は、ステップＳ１５１０における通知を行うことなく、ステップＳ１５０６に処理を戻す。以上で図１５の説明を終了する。
【０１１７】
以上、本発明によると、検査対象の被検者と異なる被検者の検査を誤って実施する可能性を低減することができる。
【０１１８】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１１９】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１２０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１２１】
その場合、プログラムの機能を有していれば、オブジェクトコード、インタプリタにより実行されるプログラム、ＯＳに供給するスクリプトデータ等の形態であってもよい。
【０１２２】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２３】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１２４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１２６】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１２７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１２８】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１２９】
１０１  受付装置
１０２  ネットワークカメラ
１０３  サーバ
１０４  ネットワークカメラ
１０５  操作室端末
１０６  検査機器
【図１】
2020004203.tif 000003
【図２】
2020004203.tif 000004
【図３】
2020004203.tif 000005
【図４】
2020004203.tif 000006
【図５】
2020004203.tif 000007
【図６】
2020004203.tif 000008
【図７】
2020004203.tif 000009
【図８】
2020004203.tif 000010
【図９】
2020004203.tif 000011
【図１０】
2020004203.tif 000012
【図１１】
2020004203.tif 000013
【図１２】
2020004203.tif 000014
【図１３】
2020004203.tif 000015
【図１４】
2020004203.tif 000016
【図１５】
2020004203.tif 000017